(57)【要約】【課題】使用場所に関わらず水滴やほこりの浸入を防止して信頼性を確保できる換気装置を提供する。【解決手段】室内２と室外（図示せず）を連通するように、壁部（図示せず）または天井１に設けられる風洞パイプ３に装着させる形状で内部にファン４とモータ５が設けられる筒状部６と、この筒状部６の室内側開口７の外周に半径方向に張り出した略方形状に形成されたフランジ部８と、前記フランジ部８の周辺の裏面側に立ち上がり部９を形成し電装部１０を設けた本体枠１４とで構成した換気装置において、前記電装部１０は各々別部品として形成された極性の異なる少なくとも２つの電源接続端子１６で構成し、前記電源接続端子１６は電源電線１７の挿入方向に対して互いにずらして配置する。【選択図】図２
2008232488.tif 000002
【特許請求の範囲】
【請求項１】
室内と室外を連通するように、壁部または天井に設けられる風洞パイプに装着させる形状で内部にファンとモータが設けられる筒状部と、前記筒状部の室内側開口の外周に半径方向に張り出した略方形状に形成されたフランジ部と、前記フランジ部の周辺の裏面側に立ち上がり部を形成し電装部を設けた本体枠とで構成した換気装置において、前記電装部は各々別部品として形成された極性の異なる少なくとも２つの電源接続端子で構成し、前記電源接続端子は電源電線の挿入方向に対して互いにずらして配置したことを特徴とする換気装置。
【請求項２】
電装部を電装ケースと電装カバーで覆い電装ユニットを構成し、本体枠の内面側に収納したことを特徴とする請求項１記載の換気装置。
【請求項３】
電装ユニットは、電装ケースを本体枠の内面側に取り付け、電源接続端子は、電装カバーに固定し、前記電装カバーは、前記電装ケースを覆う構成とした請求項２記載の換気装置。
【請求項４】
電装カバーに固定した電源接続端子と電装ケース面との間に空間を設けたことを特徴とする請求項３記載の換気装置。
【請求項５】
電源接続端子の電線挿入口の位置は、電装ユニットに備えた電源電線挿入部よりも高い位置に配置したことを特徴とする請求項３および４記載の換気装置。
【請求項６】
電装ケースは内面側に電源電線挿入部へ向けて下り傾斜面を設けたことを特徴とする請求項２から５のいずれか記載の換気装置。
【請求項７】
電装ユニットを本体枠から着脱可能に構成したことを特徴とする請求項３〜６のいずれか記載の換気装置。
【請求項８】
電装ケースは本体枠に固定されたままで、電装カバーを前記電装ケースから着脱可能に構成したことを特徴とする請求項３〜７のいずれかに記載の換気装置。
【請求項９】
電装ケースは縁部を本体枠に設けた爪に勘合させて固定する構成としたことを特徴とする請求項８記載の換気装置。
【請求項１０】
電装カバーに固定した電源接続端子が、電線挿入口と反対側端部を軸に回動可能となる構成としたことを特徴とする請求項３〜９のいずれかに記載の換気装置。
【請求項１１】
電装ケースの内面側は電源接続端子と相対する部分にリブを設けたことを特徴とする請求項１０記載の換気装置。
【請求項１２】
電装ケースと電装カバーは難燃性樹脂により形成したことを特徴とする請求項１〜１１のいずれかに記載の換気装置。
【発明の詳細な説明】
【技術分野】
【０００１】
本発明は、モータと電気的に接続された電源接続端子を備えた換気装置に関するものである。
【背景技術】
【０００２】
モータと電気的に接続された電源接続端子を備えた換気装置においては、電源線を電源接続端子に被覆を除去して差し込むだけで結線できるものである。従来この種の換気装置の例として本体枠内に電源接続子を設置したものが知られている（例えば特許文献１参照）。
【０００３】
以下その換気装置について図６を参照しながら説明する。
【０００４】
図に示すように、ファンモータ１０１を設けた換気扇本体１０２の室内側に、裏面側に凹部１０３を形成したフランジ部１０４を設け、フランジ部１０４に凹部１０３に収納される形状で、ファンモータ１０１と電気的に接続される電源接続端子１０５の一端を回動自在に支持するように、フランジ部１０４に支持ピン１０６を有した一対の支持台１０７を設け、電源接続端子１０５の一端には支持ピン１０６の係合部を設け構成している。
【０００５】
また、従来の他の換気装置の例として本体枠内に電源接続端子を備えた電装ケースを配設したものが知られている（例えば特許文献２参照）。
【０００６】
以下その換気装置について図７を参照しながら説明する。
【０００７】
図に示すようにファンモータ１１１を設けた換気扇本体１１２の室内側に、裏面側に凹部１１３を形成したフランジ部１１４を設け、前記凹部１１３に収納される形状で、ファンモータ１１１と電気的に接続される２個の電源接続端子１１５を電装ケース１１６に平行に近接して収納している。
【特許文献１】特許第３４３００３２号公報（図１）
【特許文献２】特開２００６−２５０４３４号公報（図１）
【発明の開示】
【発明が解決しようとする課題】
【０００８】
このような従来の換気装置では、電源接続部は、２つの異極充電部を一体に構成した電源接続端子のケースに納めたものが一般的であり、絶縁距離を確保するために小型にすることが困難であるという課題があった。
【０００９】
また、電源接続部は、２つの異極充電部を２つの電源接続子に分けて納めた場合でも、２つの電源接続子を保護ケースに平行に近接して収納しているため、電源接続子間の距離を短くして小型にすることが困難であるという課題があった。
【００１０】
また、湿気の多い場所で使用する場合には、より信頼性を高めるために電源接続端子への結露水の浸入等を流れ込みにくくするなどの工夫をしていたという課題があった。
【００１１】
また、塵埃の発生が多い場所で使用する場合には、より信頼性を高めるために保護ケースの塵埃保護機能を高めていたという課題があった。
【００１２】
本発明は、このような従来の課題を解決するものであり、使用場所に関わらず十分な絶縁距離を取り、かつ水滴やほこりの浸入を防止して信頼性を確保できる換気装置を提供することを目的とする。
【課題を解決するための手段】
【００１３】
本発明の換気装置は、上記目的を達成するために、室内と室外を連通するように、壁部または天井に設けられる風洞パイプに装着させる形状で内部にファンとモータが設けられる筒状部と、前記筒状部の室内側開口の外周に半径方向に張り出した略方形状に形成されたフランジ部と、前記フランジ部の周辺の裏面側に立ち上がり部を形成し電装部を設けた本体枠とで構成した換気装置において、前記電装部は各々別部品として形成された極性の異なる少なくとも２つの電源接続端子で構成し、前記電源接続端子は電源電線の挿入方向に対して互いにずらして配置したことを特徴とするものである。
【００１４】
また、他の手段は、電装部を電装ケースと電装カバーで覆い電源ユニットを構成し、本体枠の裏面側に収納したことを特徴とするものである。
【００１５】
また、他の手段は、電装ユニットは、電装ケースを本体枠の裏面側に取り付け、電源接続端子は、電装カバーに固定し、前記電装カバーは、前記電装ケースを覆う構成としたものである。
【００１６】
また、他の手段は、電装カバーに固定した電源接続端子と電装ケース面との間に空間を設けたことを特徴とするものである。
【００１７】
また、他の手段は、電源接続端子の電線挿入口の位置は、電装ユニットに備えた電源電線挿入部よりも高い位置に配置したことを特徴とするものである。
【００１８】
また、他の手段は、電装ケースは内面側に電源電線挿入部へ向けて下り傾斜面を設けたことを特徴とするものである。
【００１９】
また、他の手段は、電装ユニットを本体枠から着脱可能な構成としたことを特徴とするものである。
【００２０】
また、他の手段は、電装ケースは本体枠に固定されたままで、電装カバーを前記電装ケースから着脱可能に構成したことを特徴とするものである。
【００２１】
また、他の手段は、電装ケースは縁部を本体枠に設けた爪に勘合させて固定する構成したことを特徴とするものである。
【００２２】
また、他の手段は、電装カバーに固定した電源接続端子が、電線挿入口と反対側の端部を軸に回動可能となる構成としたことを特徴とするものである。
【００２３】
また、他の手段は、電装ケースは内面側の電源接続端子と相対する部分にリブを設けたことを特徴とするものである。
【００２４】
また、他の手段は、電装ケースと電装カバーは難燃性樹脂により形成したことを特徴とするものである。
【発明の効果】
【００２５】
本発明によれば、室内と室外を連通するように、壁部または天井に設けられる風洞パイプに装着させる形状で内部にファンとモータが設けられる筒状部と、前記筒状部の室内側開口の外周に半径方向に張り出した略方形状に形成されたフランジ部と、前記フランジ部の周辺の裏面側に立ち上がり部を形成し電装部を設けた本体枠とで構成した換気装置において、前記電装部は各々別部品として形成された極性の異なる少なくとも２つの電源接続端子で構成し、前記電源接続端子は電源電線の挿入方向に対して互いにずらして配置したことにより、電源接続端子の幅方向を小さくしかつ、絶縁性能を確保することができるという効果のある換気装置を提供することができる。
【００２６】
また、電装部を電装ケースと電装カバーで覆い電装ユニットを構成し、本体枠の裏面側に収納したことにより、ほこりの付着や衝撃に対して保護を行い信頼性が高いという効果のある換気装置を提供することができる。
【００２７】
また、電装ユニットは、電装ケースを本体枠の内面側に取り付け、電源接続端子は、電装カバーに固定し、前記電装カバーは、前記電装ケースを覆う構成としたことにより、水滴の浸入に対して信頼性が高いという効果のある換気装置を提供することができる。
【００２８】
また、電装カバーに固定した電源接続端子と電装ケース面との間に空間を設けたことにより、水滴の浸入に対して信頼性が高いという効果のある換気装置を提供することができる。
【００２９】
また、電源接続端子の電線挿入口の位置は、電装ユニットに備えた電源電線挿入部よりも高い位置に配置したことにより、水滴の浸入に対して信頼性が高いという効果のある換気装置を提供することができる。
【００３０】
また、電装ケースは内面側に電源電線挿入部へ向けて下り傾斜面を設けたことにより、水滴の浸入に対して信頼性が高いという効果のある換気装置を提供することができる。
【００３１】
また、電装ユニットを本体枠から着脱可能に構成したことを特徴とすることにより、施工が容易になるという効果のある換気装置を提供することができる。
【００３２】
また、電装ケースは本体枠に固定されたままで、電装カバーを前記電装ケースから着脱可能に構成したことにより、施工が容易になるという効果のある換気装置を提供することができる。
【００３３】
また、電装ケースは縁部を本体枠に設けた爪に勘合させて固定する構成したことにより、施工がより容易になるという効果のある換気装置を提供することができる。
【００３４】
また、電装カバーに固定した電源接続端子が、電線挿入口と反対側端部を軸に回動可能となる構成としたことにより、施工がより容易になるという効果のある換気装置を提供することができる。
【００３５】
また、電装ケースは内面側の電源接続端子と相対する部分にリブを設けたことにより、施工作業の状態によらず、確実に電源接続子を電装カバー側に固定することができ、より確実な施工をすることができるという効果のある換気装置を提供することができる。
【００３６】
また、電装ケースと電装カバーは難燃性樹脂により形成したことにより、電装ユニットの耐燃焼性能が高いという効果のある換気装置を提供することができる。
【発明を実施するための最良の形態】
【００３７】
また、他の手段は、電装部を電装ケースと電装カバーで覆い電源ユニットを構成し、本体枠の裏面側に収納したことを特徴とするものである。
【００３８】
本発明の請求項１記載の換気装置は、室内と室外を連通するように、壁部または天井に設けられる風洞パイプに装着させる形状で内部にファンとモータが設けられる筒状部と、前記筒状部の室内側開口の外周に半径方向に張り出した略方形状に形成されたフランジ部と、前記フランジ部の周辺の裏面側に立ち上がり部を形成し電装部を設けた本体枠とで構成した換気装置において、前記電装部は各々別部品として形成された極性の異なる少なくとも２つの電源接続端子で構成し、前記電源接続端子は電源電線の挿入方向に対して互いにずらして配置したものであり、異極である２つの電源接続端子を各々別部品としてかつ、それらの位置を電源電線の挿入方向へ互いにずらすことで電源接続端子間の空間距離を確保して電源電線を接続するという作用を有する。
【００３９】
また、電装部を電装ケースと電装カバーで覆い電装ユニットを構成し、本体枠の裏面側に収納したものであり、電源電線を接続した電装部は、電装ケースと電装カバーで覆い、外部からのほこりの侵入や衝撃に対して保護を行うという作用を有する。
【００４０】
また、電装ユニットは、電装ケースを本体枠の裏面側に取り付け、電源接続端子は、電装カバーに固定し、前記電装カバーは、前記電装ケースを覆う構造としたものであり、天井取付状態において、電装ユニット内に浸入しても水滴は電装ケース側に溜まるという作用を有する。
【００４１】
また、電装カバーに固定した電源接続端子と電装ケース面との間に空間を設けたものであり、天井取付状態において、電装ユニット内に浸入しても水滴と電源接続端子の距離を確保するという作用を有する。
【００４２】
また、電源接続端子の電線挿入口の位置は、電装ユニットに備えた電源電線挿入部よりも高い位置に配置したものであり、電源線を伝って水滴が電装ケース内に浸入しても、電源線は電源接続端子の電線挿入口に向かって登り傾斜となり充電部へ水滴の浸入防ぐという作用を有する。
【００４３】
また、電装ケースは内面側に電源電線挿入部へ向けて下り傾斜面を設けたものであり、天井取付状態において電装ユニット内に浸入した水滴は下り傾斜面に沿って電源電線挿入部へ向けて流れ出るという作用を有する。
【００４４】
また、電装ユニットを本体枠から着脱可能に構成したものであり、電源電線の接続は、電源ユニットを手元に引き寄せて行うという作用を有する。
【００４５】
また、電装ケースは本体枠に固定されたままで、電装カバーを前記電装ケースから着脱可能に構成したものであり、電装カバーに固定された電源接続端子を手元に引き寄せて電源接続することができるという作用を有する。
【００４６】
また、電装ケースは縁部を本体枠に設けた爪に嵌合させて固定する構成としたものであり、電装カバーは本体枠の爪に嵌合させて固定するという作用を有する。
【００４７】
また、電装カバーに固定した電源接続端子が、電線挿入口と反対側端部を軸に回動可能となる構成としたものであり、電源接続端子を回動起立して電源接続をすることができるという作用を有する。
【００４８】
また、電装ケースは内面側の電源接続端子と相対する部分にリブを設けたものであり、電源接続端子の回動起立を戻さない状態で電装カバーを電装ケースに収めた場合、電装ケース内面側のリブが電源接続端子を押し、電源接続端子が正規の位置に一意的に設置されるという作用を有する。
【００４９】
また、電装ケースと電装カバーは難燃性樹脂により形成したものであり、電装ケースと電装カバーの耐燃焼性能を確保するという作用を有する。
【００５０】
以下、本発明の実施の形態について、図面を参照しながら説明する。
【００５１】
（実施の形態１）
図１は本発明の実施の形態１における換気装置の天井１への取付状態（断面図）を示したものである。図１に示すように換気装置には、天井１に埋設した室内２と室外を連通する風洞パイプ３に装着される形状で、内部にファン４とモータ５を有した筒状部６と、この筒状部６の室内側開口７の外周に半径方向に張り出した略方形状に形成されたフランジ部８と、このフランジ部８の周辺の裏面側に形成した立ち上がり部９と、電装部１０、電装ケース１１、電装カバー１２で構成される電装ユニット１３をこの裏面側に収納した本体枠１４と、この本体枠１４に着脱自在に設けられる風路を形成する前面パネル１５を設けたものである。
【００５２】
図２は本発明の実施の形態１における換気装置の裏面側投影図、図３は本発明の実施の形態１における換気装置の電装ユニット１３の断面図を示したものである。図２、図３に示すように、換気装置の電装ユニット１３は、本体枠１４の裏面側に取り付けられた電装ケース１１と、各々別部品として形成された極性の異なる２つの電源接続端子１６が電源電線１７の挿入方向に対して互いにずらして配置されるように取り付けられた電装カバー１２で形成され、電装カバー１２は電装ケース１１を覆うように配設されている。また、電装カバー１２に取り付けられた電源接続端子１６と、電装ケース１１の内面側との間には空間１８を設けている。さらに、２つの電源接続端子１６にそれぞれ備えられている電線挿入口１９の位置は、天井取付状態時、壁取付状態時ともに電装ユニット１３に備えた電源電線挿入部２０よりも高い位置となるように配置する。そして、図３に示すように、電装ケース１１の内面側には、電装ケース１１の内外を連通している電源電線挿入部２０へ向けて下り傾斜面を設ける。
【００５３】
また、図４は本発明の実施の形態１における換気装置の裏面側斜視図である。図４に示すように、電装ケース１１は本体枠１４に設けた爪２１に縁部２２を固定したままで、電装部１０が取り付けられている電装カバー１２を電装ケース１１から着脱可能となる構成とする。さらに、電装カバー１２は端部２３を本体枠１４の穴２４に嵌合させて本体枠１４の裏面側に固定する構造とする。また、電装カバー１２に取り付けられている２つの電源接続端子１６は、それぞれ電線挿入口１９と反対側端部２５を軸に回動可能となるように設ける。また、電装ケース１１と電装カバー１２は難燃性樹脂により形成されている。
【００５４】
そして、図３に示すように、電装ケース１１の内面側には、電源接続端子１６と相対する部分にリブ２６を設ける。
【００５５】
上記構成においては、異極である２つの電源接続端子１６を各々別部品としてかつ、それらの位置を電源電線１７の挿入方向へ互いにずらすことで２つの電源接続端子１６間の空間距離を確保して電源電線１７を接続することにより、２つの電源接続端子１６の幅方向を小さくして配設し、絶縁性能を確保することができる。
【００５６】
特に、パイプファンのように小型の換気装置においては、絶縁性能を確保したまま省スペース化が図れることは非常に有益である。
【００５７】
また、電源電線１７を接続した電装部１０は、電装ケース１１と電装カバー１２で覆い、外部からのほこりの侵入や衝撃に対して保護を行うことにより、信頼性の高い換気装置を得ることができる。さらに、電装ケース１１と電装カバー１２を難燃性樹脂で形成することにより、より信頼性の高い換気装置を得ることができる。
【００５８】
また、本体枠１４の裏面側に取り付けられた電装ケース１１に、電装部１０が取り付けられた電装カバー１２が覆うように形成されるので、天井取付状態において、電装ユニット１３内に水滴が浸入しても水滴は電装ケース１１側に溜まることとなり、水滴の浸入に対して信頼性の高い換気装置を得ることができる。
【００５９】
また、電装カバー１２に取り付けられた電源接続端子１６は、電装ケース１１の内面側との間に空間１８を設けているので、天井取付状態において、電装ユニット１３内に水滴が浸入しても、水滴と電源接続端子１６の距離を確保することとなり、水滴の浸入に対して信頼性の高い換気装置を得ることができる。特に、前記空間１８を５ｍｍ以上確保すれば、電装ケース１１の内面側に溜まった水滴が成長したとしても、電源接続端子１６に達する可能性は少なくなり、より一層信頼性の向上が実現できる。
【００６０】
また、電源接続端子１６に備えた電線挿入口１９の位置は、天井取付状態時、壁取付状態時ともに電装ユニット１３に備えた電源電線挿入部２０よりも高い位置となるように配置するので、電源電線１７を伝って水滴が電装ユニット１３内に浸入しても、電源電線１７は電線挿入口１９に向かって登り傾斜となるため充電部へ水滴の浸入防ぐこととなり、水滴の浸入に対して信頼性の高い換気装置を得ることができる。
【００６１】
また、電装ケース１１の内面側には、電装ケース１１の内外を連通している電源電線挿入部２０へ向けて下り傾斜面を設けるので、天井取付状態において電装ユニット１３内に浸入した水滴は下り傾斜面に沿って電源電線挿入部２０へ向けて流れ、電装ユニット１３内から排出されることとなり、水滴の浸入に対して信頼性の高い換気装置を得ることができる。
【００６２】
また、電装ケース１１は本体枠１４に固定されたままで、電装部１０が取り付けられている電装カバー１２を電装ケース１１から着脱可能となる構成とするので、電源電線１７の接続は、電装カバー１２に固定された電装部１０を手元に引き寄せて行うこととなり、施工が容易な換気装置を得ることができる。特に高所取付用の換気装置や照明設備取付前の施工においては、手元で作業ができることは施工の容易さ、安全性、確実性という観点からも非常に有益である。
【００６３】
また、電装ケース１１、電装カバー１２はそれぞれ縁部２２および端部２３を本体枠１４の爪２１あるいは穴２４に嵌合させて本体枠１４裏面側に固定される構造とするので、電装カバー１２は本体枠１４の穴２４に嵌合させれば固定でき、ドライバー等の工具を必要とせず、施工がより容易な換気装置を得ることができる。
【００６４】
また、電装カバー１２に取り付けられている電源接続端子１６は、電線挿入口１９と反対側端部２５を軸に回動可能となるように設けるので、電源接続端子１６を回動起立して電源電線１７を接続することができ、施工がより容易な換気装置を得ることができる。特に高所取付用の換気装置や照明設備取付前の施工においては、任意の角度に回動起立させ作業ができることは施工の容易さ、安全性、確実性という観点からも非常に有益である。
【００６５】
また、電装ケース１１の内面側には、電源接続端子１６と相対する部分にリブ２６を設けるので、電源接続端子１６の回動起立を戻さない状態で電装カバー１２を電装ケース１１に収めた場合、電装ケース１１の内面側のリブ２６が電源接続端子１６を押し、電源接続端子１６が正規の位置に一意的に設置され、施工作業の状態によらず、確実に電源接続端子１６を電装カバー１２側に固定することができ、より確実な施工をすることができる換気装置を得ることができる。
【００６６】
なお、本実施例では電装ケース１１、電装カバー１２はそれぞれ縁部２２および端部２３を本体枠１４の爪２１あるいは穴２４に嵌合させて本体枠１４の裏面側に固定される構造としたが、電装カバー１２の爪を電装ケース１１の穴に固定するなど、他の組み合わせで固定しても同様の効果が得られることは言うまでもない。
【００６７】
（実施の形態２）
図５は本発明の実施の形態２における換気装置の裏面側斜視図である。図５において、構成要素は実施の形態１における換気装置と同じであるため、図１から図４と同じ符号を用い、説明を省略する。
【００６８】
図５に示すように、電装ユニット１３Ａを本体枠１４から着脱可能に構成とする。
【００６９】
上記構成においては、電装ユニット１３Ａを本体枠１４から着脱可能となるので、電源電線１７の接続は、電装部１０を備えた電装ユニット１３Ａを手元に引き寄せて行うこととなり、施工が容易な換気装置を得ることができる。特に高所取付用の換気装置や照明設備取付前の施工においては、手元で作業ができることは施工の容易さ、安全性、確実性という観点からも非常に有益である。
【産業上の利用可能性】
【００７０】
ファンモータと電源接続端子を有し、壁や天井に取り付けられる換気装置で電源接続端子が３個以上の場合にも信頼性向上を目指すために適用される。また、換気装置の小型化を図る用途にも適用できる。
【図面の簡単な説明】
【００７１】
【図１】本発明の実施の形態１における換気装置の天井への取付状態を示す断面図
【図２】同換気装置の裏面側投影図
【図３】同換気装置の電装ユニットの断面図
【図４】同換気装置の裏面側斜視図
【図５】本発明の実施の形態２における換気装置の裏面側斜視図
【図６】従来の換気装置の裏面側斜視図
【図７】従来の他の換気装置の裏面側斜視図
【符号の説明】
【００７２】
１      天井
２      室内
３      風洞パイプ
４      ファン
５      モータ
６      筒状部
７      室内側開口
８      フランジ部
９      立ち上がり部
１０    電装部
１１    電装ケース
１２    電装カバー
１３    電装ユニット
１３Ａ  電装ユニット
１４    本体枠
１６    電源接続端子
１８    空間
１９    電線挿入口
２０    電源電線挿入部
２１    爪
２２    縁部
２５    反対側端部
２６    リブ
【図１】
2008232488.tif 000003
【図２】
2008232488.tif 000004
【図３】
2008232488.tif 000005
【図４】
2008232488.tif 000006
【図５】
2008232488.tif 000007
【図６】
2008232488.tif 000008
【図７】
2008232488.tif 000009